(57)【要約】【課題】筐体の防水構造において、分割された筐体の固定が少ないフック部などで容易に行えるとともに、振動などでパッキンが外れることなく確実な防水を図る。【解決手段】重ね合わせて合体される第一筐体１及び第二筐体２と、これら第一筐体及び第二筐体の間の全周に配置されるパッキン３と、を備える防水構造であって、第一筐体１には、第二筐体２の内周面に対し内側に離間して位置する凸部１３を全周に設ける。そして、パッキン３は、前記凸部１３と第二筐体２の内周面との間に圧入されるもので、当該パッキン３を前記凸部１３に取り付ける。具体的には、パッキン３は、前記凸部１３の少なくとも外周面及び先端面に固着されている。さらに、第二筐体２には、前記凸部１３に対し内側に離間して位置する内側壁２４が少なくとも部分的に設けられ、この内側壁２４が第一筐体１の内周面に固定される。【選択図】図２
2009111600.tif 000002
【特許請求の範囲】
【請求項１】
重ね合わせて合体される第一筐体及び第二筐体と、
これら第一筐体及び第二筐体の間の全周に配置されるパッキンと、を備える防水構造であって、
前記第一筐体には、前記第二筐体の内周面に対し内側に離間して位置する凸部を全周に設け、
前記パッキンは、前記凸部と前記第二筐体の内周面との間に圧入されるもので、
当該パッキンを前記凸部に取り付けたことを特徴とする筐体の防水構造。
【請求項２】
前記パッキンは、前記凸部の少なくとも外周面及び先端面に固着されていることを特徴とする請求項１に記載の筐体の防水構造。
【請求項３】
前記第二筐体には、前記凸部に対し内側に離間して位置する内側壁が少なくとも部分的に設けられ、
この内側壁が前記第一筐体の内周面に固定されることを特徴とする請求項１または２に記載の筐体の防水構造。
【請求項４】
前記第一筐体及び第二筐体の何れか一方には、振動源が設けられていることを特徴とする請求項１から３のいずれか一項に記載の筐体の防水構造。
【請求項５】
請求項１から４のいずれか一項に記載の防水構造による筐体を備えることを特徴とする電子機器。
【発明の詳細な説明】
【技術分野】
【０００１】
本発明は、筐体の防水構造と、その防水構造による筐体を備える電子機器に関する。
【背景技術】
【０００２】
携帯電子機器において、分割された二つのケースに設けられた溝にパッキンを嵌め込んで防水する構造が一般的である（例えば特許文献１参照）。
また、携帯型送信機の防水構造として、二つのケースの間に防水カバーの周囲端部を配置して、二つのケースにより防水カバーを挟持する構造がある（特許文献２、３参照）。
なお、秤の防水構造として、ケースに設けた凹部状の係合溝に、軟質ゴムで成形された防水ダイヤフラムの端部を圧入して防水を図るものもある（特許文献４参照）。
【特許文献１】特開２００２−１９８６６４号公報
【特許文献２】特開平１１−２８８６３５号公報
【特許文献３】特開２００４−３１２６２１号公報
【特許文献４】特開２００３−３２２５５６号公報
【発明の開示】
【発明が解決しようとする課題】
【０００３】
しかし、特許文献１、または特許文献２、３の構造のように、分割された二つのケースによってパッキンあるいは防水カバー端部を上下から挟持すると、縦(上下)方向に弾性力が働くようになるため、分割されたケースを固定するのに多数のビス、または多数のフック部などが必要となってしまう。
また、特許文献４の構造のように、ケースに設けた凹部状の係合溝に、軟質ゴムの防水ダイヤフラムの端部を圧入しただけでは、防水ダイヤフラムの端部が振動などによって外れてしまい、防水機能が損なわれてしまう恐れがあった。
【０００４】
本発明の課題は、筐体の防水構造において、分割された筐体の固定が少ないフック部などで容易に行えるとともに、振動などでパッキンが外れることなく確実な防水を図ることである。
【課題を解決するための手段】
【０００５】
以上の課題を解決するため、請求項１に記載の発明は、重ね合わせて合体される第一筐体及び第二筐体と、これら第一筐体及び第二筐体の間の全周に配置されるパッキンと、を備える防水構造であって、前記第一筐体には、前記第二筐体の内周面に対し内側に離間して位置する凸部を全周に設け、前記パッキンは、前記凸部と前記第二筐体の内周面との間に圧入されるもので、当該パッキンを前記凸部に取り付けたことを特徴とする。
【０００６】
請求項２に記載の発明は、請求項１に記載の筐体の防水構造であって、前記パッキンは、前記凸部の少なくとも外周面及び先端面に固着されていることを特徴とする。
【０００７】
請求項３に記載の発明は、請求項１または２に記載の筐体の防水構造であって、前記第二筐体には、前記凸部に対し内側に離間して位置する内側壁が少なくとも部分的に設けられ、この内側壁が前記第一筐体の内周面に固定されることを特徴とする。
【０００８】
請求項４に記載の発明は、請求項１から３のいずれか一項に記載の筐体の防水構造であって、前記第一筐体及び第二筐体の何れか一方には、振動源が設けられていることを特徴とする。
【０００９】
請求項５に記載の発明は、請求項１から４のいずれか一項に記載の防水構造による筐体を備える電子機器を特徴とする。
【発明の効果】
【００１０】
本発明によれば、縦方向に弾性力が働かず、固定する筐体間に反発力が発生することがないため、少ないフック部などによる固定ができて分割された筐体の固定が容易に行え、且つパッキンを一方の筐体に一体成形しているため、振動などによってもパッキンが外れることがなく確実な防水を図ることができる。
【発明を実施するための最良の形態】
【００１１】
以下、図を参照して本発明を実施するための最良の形態を詳細に説明する。
（実施形態１）
図１から図３は本発明を適用した電子機器の実施形態１の構成として携帯電話の筐体を示したもので、１は上部筐体（以下、第一筐体と呼ぶ）、２は下部筐体（以下、第二筐体と呼ぶ）、３はパッキン、４は液晶表示パネル、５は中ケース、６は基板、７は透過パネル、８はクッション、９は振動ユニット（振動源）からなる表示部本体で説明する。
【００１２】
この実施形態において、防水構造は、折り畳み式携帯電話の表示部本体を構成する第一筐体１及び第二筐体２と、その間の全周に配置されるパッキン３に適用したもので、パッキン３はゴム製である。
【００１３】
ここで、図示例では、第一筐体１及び第二筐体２の間には、液晶表示パネル４、中ケース５及び基板６等が収容される。また、第一筐体１には、液晶表示パネル４の画面を透過させる透過パネル７がクッション８を介して取り付けられており、この透過パネル７の内面に振動ユニット９が接着固定されている。この振動ユニット９は圧電素子からなるもので、その振動により透過パネル７はパネルスピーカの振動板として機能する。
【００１４】
なお、第一筐体１は、その一端側に報音孔１１を有して、他端側にヒンジボス１２を有している。以上の表示部本体は、図示しない操作部本体に対しヒンジ部を介して折り畳み可能に連結されている。なお、操作部本体も第一筐体１及び第二筐体２の構成として同様な防水構造としてもよい。
【００１５】
具体的には、第一筐体１に、合体状態で第二筐体２の内周面に対し内側に離間して位置する凸部１３が全周に形成されている。第二筐体２には、合体時に第一筐体１の凸部１３を受け入れる凹部２３が全周に形成されるとともに、この凹部２３の内周側に内側壁２４が形成されている。この内側壁２４の存在により、凹部２３は溝のように見える。なお、内側壁２４は、第二筐体２の全周に形成しても、部分的（例えば平行する両側部に沿った部分）に形成してもいずれでも良い。
【００１６】
そして、パッキン３は、第一筐体１の凸部１３に取り付けられて、第二筐体２の内周面との間に圧入される。すなわち、このパッキン３は、第一筐体１の成形時において、その凸部１３に、例えば液状シリコンやエラストマーの一体成形（インサート成形や二色成形）により設けられる。図示例において、パッキン３は、凸部１３の外周面、先端面及び内周面に固着されていて、その外周面への固着部分が最も肉厚となっている。
【００１７】
さらに、第一筐体１の内周面には、部分的（例えば平行する両側部の二箇所）にフック部１５が形成される一方、第二筐体２の内側壁２４から上方への突出部２４ａ（図３参照）には、フック部１５が係合する部分的な係合孔２５が形成されている。
【００１８】
第一筐体１及び第二筐体２の合体は、第一筐体１の凸部１３に一体のパッキン３を第二筐体２の内周面に圧入して、凸部１３を第二筐体２の凹部２３に差し込むとともに、第一筐体１の内周面のフック部１５を第二筐体２の内側壁２４の係合孔２５に差し込んで係合する。
【００１９】
以上、実施形態の筐体の防水構造によれば、第一筐体１の凸部１３に一体のパッキン３を第二筐体２の内周面に圧入して防水したため、従来のような縦（上下）方向に弾性力が働かず、固定する第一筐体１及び第二筐体２間に反発力が発生することがないため、少ないフック部など、実施形態では平行する両側部に沿ったフック部１５及び係合孔２５による固定ができて、分割された第一筐体１及び第二筐体２の固定が容易に行える。
【００２０】
しかも、第一筐体１の凸部１３に一体のパッキン３であるため、圧電素子からなる振動ユニット９の振動によりパネルスピーカの振動板として機能する透過パネル７の振動などによってもパッキン３が外れることがなく、確実な防水を図ることができる。
【００２１】
また、縦（上下）方向に弾性力が働かない防水構造となり、第一筐体１及び第二筐体２の剛性を必要以上に持たせる必要がないため、筐体の肉厚を少なくして薄型化・小型化を図ることができる。
【００２２】
（実施形態２）
図４は実施形態２を示すもので、前述した実施形態１と同様、１は第一筐体、２は第二筐体、３はパッキン、４は液晶表示パネル、５は中ケース、６は基板、７は透過パネル、８はクッション、９は振動ユニット、１３は凸部、２３は凹部である。
【００２３】
すなわち、実施形態２では、前述した実施形態１の内側壁２４を不要として、その内側壁２４の無い凹部２３に凸部１３に一体のパッキン３を圧入した上で、第一筐体１及び第二筐体２を図示しないビス止めにより合体する。
【００２４】
従って、実施形態２の筐体の防水構造によっても、前述した実施形態１と同様の作用効果が得られることに加えて、凹部２３に内側壁２４を設ける必要が無い分だけ第二筐体２及び第一筐体１の両側部の肉厚を小さくできることから、さらに筐体の肉厚を少なくして薄型化・小型化に寄与できるものとなる。
【００２５】
（変形例）
なお、以上の実施形態においては、携帯電話としたが、本発明はこれに限定されるものではなく、カメラ、ＰＤＡ、ノートパソコン、ウェアラブルパソコン、電卓、電子辞書などの携帯電子機器を含む電子機器すべてに用いることができる。
また、実施形態では、二つの筐体をフック部による固定としたが、ビス止めでも良い。
さらに、実施形態では、凹部の内周側に内側壁を設けたが、内側壁は設けなくても良い。但し、その場合、二つの筐体の固定は、ビス止めとなる。
また、下部筐体に凸部及びパッキンを一体成形し、上部筐体に凹部を設けた構成のものであってもよい。
また、凸部、凹部及びパッキンの断面形状等も任意であり、その他、具体的な細部構造等についても適宜に変更可能であることは勿論である。
【図面の簡単な説明】
【００２６】
【図１】本発明を適用した電子機器の実施形態１の構成を示すもので、携帯電話の筐体を示した概略正面図である。
【図２】図１の矢印Ａ−Ａ線に沿った拡大断面図である。
【図３】図２の構成部品の分解斜視図である。
【図４】実施形態２を示すもので、図２と同様の断面図である。
【符号の説明】
【００２７】
１  第一筐体
１３  凸部
１５  フック部
２  第二筐体
２３  凹部
２４  内側壁
２５  係合孔
３  パッキン
９  振動源
【図１】
2009111600.tif 000003
【図２】
2009111600.tif 000004
【図３】
2009111600.tif 000005
【図４】
2009111600.tif 000006